(57)【要約】【課題】  テーブル上にプリンターを設置せず、テーブル上の作業スペースを広く使用可能にするプリント紙排出装置を提供することを目的とするものである。【解決手段】  プリンター３の未使用時は、天板１ａのプリント紙取出口２のカバー２ａを閉じてテーブルとして使用し、プリンター３の使用時はカバー２を開にして使用する。天板１ａの下方にプリンター３、プリント紙５を搬送する搬送装置４、プリント紙５をスタックするトレー１２が配置されており、カバー２を開くとプリンター３と搬送装置４の駆動電源が入力される。例えばＷｉ−Ｆｉ付パソコンからプリント指示を行うと、プリンター３で印字したプリント紙５は、搬送装置４を経由してトレー１２に積載される。プリンター３の使用時でも天板１ａ上は、プリント紙取出口２のスペース以外は作業スペースとして使用できるように構成されている。【選択図】図３
2020075467.tif 000002
【特許請求の範囲】
【請求項１】
テーブルの天板の下方にプリンターとプリンターより排紙されたプリント紙を搬送する搬送装置とプリント紙をスタックするトレーを装備し、天板上にプリント紙が取り出せるカバー付き取出し口を装備したことを特徴とするプリント紙排紙装置。
【請求項２】
上記請求項目１の装置において、プリンターをプリント紙搬送方向と直角方向に移動可能に配置し、コピー用紙のセット及びインクの交換作業を可能にしたことを特徴とするプリント紙排紙装置。
【請求項３】
上記請求項目１，２の装置において、プリント紙の搬送装置の挿入部に設置したセンサーで、プリンターから進入したプリント紙の検知により搬送装置を駆動し、定められた時間を経過すると駆動を停止する搬送装置の駆動・停止の作動を可能としたプリント紙排紙装置。
【発明の詳細な説明】
【技術分野】
【０００１】  本発明は、テーブルの天板上にプリンターを設置することなく、プリンター、搬送装置、プリント紙を積載するトレーを天板の下方に配置することによりテーブルの天板上のスペースが作業可能なスペースとして使用できるようにし、プリンター使用時は、天板のプリント紙取り出し用開口部から積載されたプリント紙を取り出せるようにした装置に関するものである。
【背景技術】
【０００２】  テーブル上にプリンターを設置して使用する場合、プリンターの設置により、テーブル上の作業域が狭くなっていた。また、プリンターを会議室などのテーブル上に設置した場合、会議室の雰囲気に合わないなどの問題があった。【０００３】  従来の方法としては、プリンター使用時、作業スペースを広く得るために、プリンターの上カバーに作業台となる平坦な天板を設け、側板又はプリンターの下部にコピー用紙取入口を配置し、他方の側板にプリント紙排出部を設け、プリント紙を積載する方式のプリンターが提案されている。（特許文献１参照）【０００４】  また、連続用紙を使用するプリンター用テーブルとして、天板下方に積載された用紙が、天板上のプリンターでプリントされた後、天板下方の積載部に収納される方式が提案されている。（特許文献２参照）
【先行技術文献】
【特許文献】
【０００５】
【特許文献１】特開平６−３２８８１４号  公報
【特許文献２】実開平１−９９６４４号  公報
【発明の概要】
【発明が解決しようとする課題】
【０００６】  テーブル上にプリンターを設置してプリント作業を行う方法では、プリンターの設置スペースとプリンターから排紙されるプリント紙スペースで、テーブル上の作業域を狭くしていた。【０００７】  テーブルの天板の下方に、プリンター及びプリント紙を搬送する搬送装置とプリント紙をスタックするトレーを装備し、天板にコピー紙を取出せる開閉可能なカバー付き取出し口を設け、テーブル上を作業スペースとして広く使用できるようにしたプリント紙排紙装置を提供することを目的とするものである。
【課題を解決するための手段】
【０００８】  上記目的を達成するため、本発明は以下の構成を要旨とするものである。【０００９】  テーブルの天板の下方にプリンターとプリンターより排紙されたプリント紙を搬送する搬送装置とプリント紙をスタックするトレーを装備し、天板上にプリント紙が取り出せるカバー付き取出し口を装備したことを特徴とするプリント紙排紙装置。【００１０】  前記方式の装置において、プリンターをプリント紙搬送方向と直角方向に移動可能に配置し、コピー用紙のセット及びインクの交換作業を可能にしたことを特徴とするプリント紙排紙装置。【００１１】  前記方式の装置において、プリント紙の搬送装置の挿入部に設置したセンサーで、プリンターから進入したプリント紙の検知により搬送装置を駆動し、定められた時間を経過すると駆動を停止する搬送装置の駆動・停止の作動を可能としたプリント紙排紙装置。
【発明の効果】
【００１２】  テーブルの天板の下方にプリンター、プリント紙搬送装置、プリント紙をスタックするトレーを装備し、プリンター使用時は天板上面のプリント紙を取出せるカバーを開きプリンターを作動させ、プリンター未使用時にはカバーを閉じることにより天板上面は広いスペースで使用できる。【００１３】  プリンターはプリント紙の搬送装置と分離されてプリンター設置台に設置され、テーブルの手前方向に移動可能に配置されている。消耗品であるコピー用紙の補給及びインク等の交換時は、交換可能な位置までプリンター設置台上のプリンターを引出し、消耗品の交換を行った後、定められた位置に再セットする。【００１４】
【図面の簡単な説明】
【００１５】
【図１】  本発明の実施形態を示すプリンター未稼働時の外観斜視図
【図２】  本装置のプリンター使用時の外観斜視図
【図３】  本装置のプリンター使用時の断面図
【図４】  本装置のプリンターから搬送装置へのプリント紙受渡し詳細図
【図５】  本装置のプリント紙のスタックと取出口の詳細図
【図６】  本装置の紙詰り除去方法を示す詳細図
【発明を実施するための形態】
【００１６】  以下、本発明によるプリント紙排紙装置の実施形態を図によって説明する。
【００１７】  図１は、本発明装置の１実施例の外観図であって、プリンター３の未使用時は、プリント紙取出口２のカバー２ａを閉じた状態とし、テーブル１の天板１ａ上の作業スペースを広く使用できるようにする。
【００１８】  図２において、テーブル１の天板１ａの下方にはプリンター設置台８に設置されたプリンター３と、プリント紙５を搬送する搬送装置４が配置されており、プリンター３の使用時には、天板１ａのプリント紙取出口２のカバー２ａを開き、プリント紙５を取出せる状態とする。
【００１９】  プリンター３の使用時の実施形態について、図３、図４、図５で説明する。図３は搬送装置４の断面図、図４はプリンター３から搬送装置４へのプリント紙５の挿入の詳細図、図５はプリント紙５のスタック方法と取出口の詳細を示す
【００２０】  天板１ａの下方に設置したプリンター３に、例えばＷｉ−Ｆｉ付パソコンからプリント指示を行うと、プリンター３は印字したプリント紙５を搬送装置４の挿入口１１に排紙する。
【００２１】  搬送装置４は、プリンター３から挿入されたプリント紙５を搬送する下側搬送コロ６ａ、６ｂ、６ｃを保持した下フレーム６と、対になった上側搬送コロ７ａ、７ｂ、７ｃを保持している上フレーム７で構成されている。図示されていないモーターと駆動機構によってプリント紙５をプリント紙取出口２方向に搬送する。プリンター３からのプリント紙５の排紙速度と、搬送装置４のプリント紙５の搬送速度は、ほぼ等速に設定されている。
【００２２】  搬送装置４には、プリンター３から挿入されたプリント紙５を検知するセンサー１０ａが装備されており、プリント紙５の挿入を検知すると図示されていないモーターが駆動し、下側搬送コロ６ａと上側搬送コロ７ａでプリント紙５を取込み、下フレーム６と上フレーム７の搬送コロ６ａ、６ｂ、６ｃ、７ａ、７ｂ、７ｃでプリント紙５をプリント紙取出口２の方向に搬送する。あらかじめ定められた時間内にセンサー１０ａがプリント紙５の進入を検知しないと図示されていないモーターは駆動を停止し、搬送装置４は駆動を停止する。
【００２３】  下フレーム６と上フレーム７によって搬送されたプリント紙５は、下側搬送コロ６ｃ、上側搬送コロ７ｃによってプリント紙５が積載されるトレー１２に排紙され積載される。
【００２４】  天板１ａのプリント紙取出口２のカバー２ａは、開位置でトレー１２に積載されたプリント紙５の先端が手で掴み取出せる位置になるように配置されている。
【００２５】  下側搬送コロ６ｃ、上側搬送コロ７ｃの下流にはセンサー１０ｂが配置されていて、あらかじめ設定された時間内にプリント紙５の通過を検知しない場合、図示されてないモーターの駆動が停止し、搬送装置４は駆動を停止する。
【００２６】  図６において、搬送装置４内で紙詰り等のトラブル発生した時は、下フレーム６の端部に例えばロータリーダンパー組込みの回転軸１４を配置し、下フレーム６を下方に開き、紙詰り等の除去の後、下フレーム６を再セットする。再セットの完了の有無はセンサー１０ｃの検知により行う。
【００２７】  図２、図４において、プリンター３の消耗品であるインク及びコピー用紙の交換及び補給方法は、プリンター３はプリンター設置台８に設置されており、プリンター設置台８は、置台１３の天井板１５にスライドレール９で接続されている。プリンター設置台８のロック装置１７を解除し、取っ手１６でテーブル１の手前側に引出し、インク又はコピー用紙の交換または補給作業を行った後、定められたセット位置に再セットする。
【００２８】  置台１３は、テーブル１の移動時の設置を容易にするため、天板１ａの下面から金属板などのフレームによって吊るす方式にしても良い。
【００２９】  プリント紙取出口２のカバー２ａを閉じたまゝ、図１の状態でプリンター３が作動する等のトラブルを防止するため、カバー２ａの開閉で作動する図示されてないＯＮ／ＯＦＦスイッチを設け、カバー２ａが閉じた状態ではプリンター３と搬送装置４の駆動用入力の電源をＯＦＦにし、カバー２ａが開いた状態では電源をＯＮとし、プリンター３が作動できる状態とする。
【符号の説明】
【００３０】  １    テーブル
１ａ  天板
２    プリント紙取取出口
２ａ  カバー
３    プリンター
４    搬送装置
５    プリント紙
６    下フレーム
７    上フレーム
９    スライドレール
１０ａ  センサー
１２    トレー
【図１】
2020075467.tif 000003
【図２】
2020075467.tif 000004
【図３】
2020075467.tif 000005
【図４】
2020075467.tif 000006
【図５】
2020075467.tif 000007
【図６】
2020075467.tif 000008